(57)【要約】【課題】従来の保護具は樹脂材料にて成形されているため、不要になった保護具の処理に大変手間がかかり非常に効率が悪く、また非透水材料であり、残水が保管および輸送期間ずっと残ったままで雑菌が残ったままになる恐れがあった。従来例の保護具は各通水接続部に１個ずつ独立して設けられているため、取り外しが大変わずらわしいばかりでなく、外したものが現場でばらばらになるおそれもあった。【解決手段】通水接続部保護具において、板紙を折り曲げ、端部を貼り合せて形成する中空の直方体であって、一面には複数の凸部を有する、円形の穴を備えた。【選択図】　図３
2004115069.tif 000002
【特許請求の範囲】
【請求項１】
複数の接続管を有する給水配管用のヘッダーにおける接続管の輸送時の保護材として、板紙を折り曲げ、端部を貼り合せて形成する中空の直方体であって、一面には複数の　円形の穴を備え、該穴の内周に凸部を有することを特徴とする通水接続部の保護具。
【請求項２】
前記穴を複数有し、前記穴の間には全周にわたり不連続な切込みを備えることを特徴とする請求項１記載の通水接続部の保護具。
【請求項３】
複数の接続管を有する給水配管用のヘッダーにおける前記接続管の輸送時の保護材として、短冊部と、円部と、帯部とを有する板紙とし、前記円部の外径上の相対する二点において短冊部および帯部と連続しており、前記二点で折り曲げ、前記帯部を胴部とし、前記円部を底面として円筒形状とした通水接続部の保護具。
【発明の詳細な説明】
【０００１】
【発明の属する技術分野】
本発明は、住宅の給水・給湯配管に使用する通水接続部の保護具に関する。
【０００２】
【従来の技術】
従来の住宅の給水配管に使用されているヘッダーを例として説明する。
このヘッダーは、水道水本管から各住宅へ分岐配管される給水主管と、住宅内に設置される複数の水栓等の水使用器具に接続された複数の給水分岐管を住宅内にて集中接続するための通水器具であり、給水主管および給水分岐管に各々水密に接続するための通水接続部を有している。
ここで図８を用いてヘッダーについて説明する。図８はヘッダーの建築現場へ出荷時の部分断面図である。この図において中空状のヘッダー３１には、給水主管を接続する通水接続部３２、および給水分岐管を接続する通水接続部３３を３個有しており、前記計４箇所の通水接続部３２、３３には、各々樹脂材料にて成形され一端が塞がった円筒形状の保護具３４、３５を有している。前記通水接続部３２は略円筒形で外周部にＯリング３６を有している。この通水接続部３２に接続する給水主管の端部形状は外周部に鍔を有し、内周部に平滑面を有する円筒形で、この内周面が前記Ｏリング３６と圧接され、ヘッダー３１と給水主管が水密に接続される。また通水接続部３３は内周に平滑面３７を有する。通水接続部に接続される給水分岐管の端部形状は外周にＯリングを有する略円筒形であり、ヘッダー３１と給水分岐管の接続時にはこのＯリングが前記平滑面３７に圧接された状態になっている。
また、このヘッダー３１は鋳造にて製作されており、通水接続部３２のＯリング３６の当接面や、通水接続部３３内周の平滑面３７はＯリングとの水密接続の必要があり、鋳造では実現できない寸法精度および面精度が要求されるため、切削加工が施され、通水しての漏水検査を行った後、保護具３４、３５を取付、建築現場に輸送されている。
ここで保護具３４、３５の役割について説明する。保護具３４、３５は製造してから実際に給水主管や給水分岐管を接続するまでの保管時や輸送時に、埃やごみが前記Ｏリングや平滑面に付着することを防止している。これは万一埃やごみが付着した場合、ヘッダー３１と、給水主管や給水分岐管との水密接続ができず、漏水の原因になるからである。このような通水接続部の保護具は一般に製作の容易性や製作コストの安さより樹脂成形にて製作される。（例えば、特許文献１参照）
次にこのヘッダーを、例えば一階床下である土間に設置する場合の工事手順を以下に説明する。
工程１：土間および基礎のコンクリートを敷設した後、柱梁等の木工事を行う。
工程２：土間にヘッダー３１を固定する。
工程３：給水主管を配設し、保護具３４を取外したヘッダー３１の給水接続部３２に接続する。
工程４：水使用器具を設置場所の柱等に固定し、この水使用器具に一端を接続した給水分岐管を柱等に沿って配管した後、他端を、保護具３５を取外したヘッダー３１の通水接続部３３に接続する。
工程５：壁床天井が設置された後、内装工事が行われる。
以上の手順にて住宅の配管が行われている。
【０００３】
【特許文献１】
実開平６−４０５９０号公報
【０００４】
【発明が解決しようとする課題】
しかしながら従来の構成では以下の問題を有する。
課題１
従来例の保護具は樹脂材料にて成形されているため、ヘッダー３１に給水主管および給水分岐管を接続することで不要になった保護具の処理が大変である。建築現場では建築廃材を減らすことを求められており、処理方法としては、回収して再利用するか、焼却処理することが考えられる。回収して再利用しようとすると前記保護具３４、３５は各現場では数個ずつしかなく、大変手間がかかり非常に効率が悪い。また、焼却処理する際には樹脂は焼却炉中で激しく燃えるため、焼却炉を傷めることになる。
課題２
従来例の保護具は樹脂材料にて成形されており、樹脂は非透水材料である。ヘッダー３１製造時の漏水検査の際には残水が発生するが、これが保管および輸送期間ずっと残ったままになる。このことにより、密閉された空間に空気と水が存在し、雑菌が残ったままになるおそれがあった。
課題３
従来例の保護具は各通水接続部に１個ずつ独立して設けられているため、ヘッダー３１等の通水器具製作時に多数の通水接続部に１個ずつ取付しなくてはならず手間がかかっていた。また、給水分岐管のヘッダー３１への接続の際には、１個ずつ保護具３５を取外さなくてはならない。このため、大変わずらわしいばかりでなく、外したものが現場でばらばらになるため、一部は紛失し、結果として、不要な保護具を現場に残したまま、住宅が施工されてしまうおそれもあった。そこで本発明では取り外しの手間のかからない、後処理のしやすい通水接続部材の保護具を実現するものである。
【０００５】
【課題を解決するための手段】
前記課題を解決するため、請求項１では、複数の接続管を有する給水配管用のヘッダーにおける接続管の輸送時の保護材として、板紙を折り曲げ、端部を貼り合せて形成する中空の直方体であって、一面には複数の円形の穴を備え、該穴の内周に凸部を有する。
【０００６】
さらに請求項２では、前記穴を複数有し、前記穴の間には全周にわたり不連続な切込みを備えた。
【０００７】
また、請求項３では、複数の接続管を有する給水配管用のヘッダーにおける前記接続管の輸送時の保護材として、短冊部と、円部と、帯部とを有する板紙とし、前記円部の外径上の相対する二点において短冊部および帯部と連続しており、前記二点で折り曲げ、前記帯部を胴部とし、前記円部を底面として円筒形状とした。
【０００８】
【発明の実施の形態】
本発明の実施の形態として、住宅の給水を各水使用器具に分岐配管する際に使用するヘッダーの保護具について、図１〜７を用いて説明する。
図３、図１は保護具３の斜視図および展開図であり、図４、図２は保護具４の斜視図および展開図である。また、図７はヘッダーに保護具３、保護具４を取り付けた状態の斜視図であり、図６は取り付け前状態の斜視図である。また、図５は図７におけるＹ−Ｙ断面である。
【０００９】
まず保護具３の形状について説明する。はじめに板紙を図１のように打ち抜く。この状態では、各々２個の凸部２０を有する６個の円形穴１を備え、折り曲げ易くするため、片面に線状の押し跡を施した４本の二点鎖線で示した線２を有する。また、前記線２と直角方向に破線で示した線５は不連続な切込みを示している。
この板紙を４本の前記線２に沿って、同一方向に直角に折り曲げたのち、斜線部６に接着剤を塗布し、斜線部７の裏面に貼り付けることによって斜視図３に示す保護具３が組み立てられる。この状態で保護具３は直方体であり、一面に２個の凸部２０を有する穴１を６個備えている。また隣り合う穴１の間には不連続な切込みを有している。
【００１０】
次に保護具４の形状について説明する。はじめに板紙を図２のように打ち抜く。この状態では、円部９が円周上の相対する２点１１、１２において帯部８と短冊部１０と繋がっている。
この板紙を点１１、１２にて、帯部８と円部９、円部９と短冊部１０を各々同じ方向に直角に折り曲げたのち、帯部の端部１３、１４を前記折り曲げと同一方向に円部９の円周に沿って曲げ端部１３と端部１４を重ねた後、外周側より既に折り曲げてある短冊部１０の内側に重ねる。この状態が、図４である。
【００１１】
上述のように製作した保護具３、４をヘッダーに取り付ける。図６において、ヘッダー１５は、水道本管より分岐された給水主管を接続するための通水接続部１６、ヘッダー１５より給湯機へ向かう給水分岐管を接続する通水接続部１７、各水使用器具へ配管される給水分岐を接続する通水接続部１８を有する。これらの通水接続部１６〜１８はいずれも外周部に鍔を有する略円筒形であり、内周部には平滑面１９を有するが、接続する配管の管径の違いにより、通水接続部１６、１７が通水接続部１８より大きくなっている。
まず、このヘッダー１５の通水接続部１６、１７に各々保護具４を取り付ける。保護具４の円部９の円周外径は、通水接続部１６、１７の平滑面１９の内径とほぼ同一になっており、図４のように構成した保護具を通水接続部１６、１７の内周部に取り付けると、帯部８が前述のように曲げられていることによる外側への反発力で帯部８が平滑面１９に押し付けられる。このため、この帯部８と平滑面１９の間の摩擦力により、輸送時や保管時の振動では保護具４がヘッダー１５より脱落することはなく、建築現場にて取外す場合は短冊部１０を引っ張るだけで簡単に取外すことができる。
【００１２】
つぎにヘッダー１５の通水接続部１８に保護具３を取り付ける。このヘッダー１５には通水接続部１８が片側に４個配置されているのに対して、図３の保護具３は円形穴１を６個有している。保護具３は５本の不連続な切込み５を有しており、各々の切込みにて容易に切り離すことができる。この場合は、図３記載の不連続な切込み５ａにて切り離すことで、図６に記載のように保護具３を４個の円形穴１を有するものとして簡単に構成できる。
前記の保護具３を図６の状態から円形穴１を各々通水接続部１８の位置に合わせ、はめ込む。このときの状況を以下説明する。円形穴１に設けられた２個の凸部２０の頂部間距離２１は通水接続部１８の鍔外周部径２３より小さく、鍔根元部径２２より大きく設定されている。また円形穴１の穴直径２４は鍔外周部径２３より大きく設定されている。このため、保護具３をはめ込む際に凸部２０は鍔外周部２５をのり越えることになる。このとき一度曲がるが、図５のように鍔根元部２６に位置した状態では元に戻る。これは、この保護具３が厚みの厚い板紙にて製作されているためである。この状態になると、凸部２０が鍔部に引っかかり、保管時や、輸送時の振動では保護具３がヘッダー１５から脱落することはなく、また建築現場にて取外す場合は保護具３を手で持ち、図５の矢印２７方向に力を加えることで凸部２０が鍔部をのり越え、簡単に外すことができる。
また、保護具３は板紙製であるため湿度によって伸縮し、寸法が変化する。このため、金属製であるヘッダー１５の複数の通水接続部１８間の寸法に対してずれが生じてしまう。しかしながら、前述のような構成をとることにより、鍔外周部径２３に対して円形穴１の直径２４を大きくすることができ、前述のずれを吸収することができる。
【００１３】
なお本発明の実施の形態では保護具３の穴１に凸部２０を２個有している場合であるが、この数に限定されるものではなく３個４個と数を増しても同様の効果を有する。また保護具４の短冊部１０は幅が一様で端部を半円形状にしているが、この形状に限定されるものではなく、例えば短冊部１０の端部の幅を広くしてもよい。この場合は現場で保護具４を取外しやすくなるという効果も有する。
【００１４】
【発明の効果】
前記のように本発明では通水接続部保護具において、板紙を折り曲げ、端部を貼り合せて形成する中空の直方体であって、一面には複数の凸部を有する、円形の穴を備えた。また、通水接続部保護具において、板紙製であり、短冊部と、円部と、帯部を有し、前記円部の外径上の相対する二点において短冊部および帯部と連続しており、前記二点で折り曲げ、前記帯部を胴部とし、前記円部を底面として円筒形状とした。このため紙という材質上、透水性が良好であることにより内部にいつまでも残水が密封されることがなく、通水接続部材の製作時に内部に残った残水は蒸発するため、内部での雑菌が残ることはない。（課題２）また材質が紙であることより焼却炉を傷めることもなく、建築現場にて通水保護具が不要になった後は容易に焼却処理ができる。（課題１）また、従来の樹脂製保護具に比較して、紙製のため安価に製造することができる。
【００１５】
さらに前記穴を複数有し、前記穴の間には全周にわたり不連続な切込みを備えたので、複数の通水接続部に対して一括して保護具の取付と取り外しができ、現場での作業が簡単になる。（課題３）保護具は取り付ける通水接続部の数に応じて任意に前記不連続な切込みにて不要な部分を切り離すことができるため、通水接続部の数が異なるものに対しても保護具を一種類製作しておくだけでよく、非常に効率のよいものとなる。
【図面の簡単な説明】
【図１】本発明の実施の形態における保護具の展開図
【図２】本発明の実施の形態における保護具の展開図
【図３】本発明の実施の形態における保護具の斜視図
【図４】本発明の実施の形態における保護具の斜視図
【図５】本発明の実施の形態における図７のＹ−Ｙ断面
【図６】本発明の実施の形態における保護具とヘッダーの分解図
【図７】本発明の実施の形態における保護具とヘッダーの組立状態斜視図
【図８】従来の保護具を取り付けたヘッダーの部分断面図。
【符号の説明】
１　円形穴
２　線
３　保護具
４　保護具
５　不連続な切込み
５ａ　不連続な切込み
６　斜線部
７　斜線部
８　帯部
９　円部
１０　短冊部
１１　帯部と円部との接続点
１２　円部と短冊部との接続点
１３　帯部の端部
１４　帯部の端部
１５　ヘッダー
１６　通水接続部
１７　通水接続部
１８　通水接続部
１９　平滑部
２０　凸部
２１　凸部頂部間距離
２２　鍔根元部外径
２３　鍔外周部径
２４　円形穴直径
３１　ヘッダー
３２　通水接続部
３３　通水接続部
３４　保護具
３５　保護具
３６　Ｏリング
３７　平滑面
【図１】
2004115069.tif 000003
【図２】
2004115069.tif 000004
【図３】
2004115069.tif 000005
【図４】
2004115069.tif 000006
【図５】
2004115069.tif 000007
【図６】
2004115069.tif 000008
【図７】
2004115069.tif 000009
【図８】
2004115069.tif 000010